【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
ネットワークにおけるユーザ機器（ＵＥ）による通信の方法であって、
前記ネットワークと通信するために１つまたは複数の無線ベアラを構成することと、  前記１つまたは複数の無線ベアラのうちの少なくとも１つの無線ベアラに関連付けられたデータが送信される必要があると決定することと、
前記少なくとも１つの無線ベアラをアクティベートする要求を示すシグナリングをメディアアクセス制御エレメント（ＭＡＣ  ＣＥ）内で前記ネットワークに送信することによって、前記少なくとも１つの無線ベアラに関連付けられた前記データが送信される必要があるとの前記決定に基づいて、前記少なくとも１つの無線ベアラを選択的にアクティベートすることと、
前記少なくとも１つのアクティベートされた無線ベアラ上で前記データを送信することと、
一旦デアクティベートされた、前記少なくとも１つのアクティベートされた無線ベアラに関するコンテキストをリリースすることなく、複数のパラメータに基づいて、前記少なくとも１つの選択的にアクティベートされた無線ベアラをデアクティベートすること
を備える、方法。
【請求項２】
前記複数のパラメータは、少なくとも、接続モードＤＲＸ（ＣＤＲＸ）パラメータ、無線ベアラリリースタイマ、および無線リソース制御（ＲＲＣ）接続リリースタイマを含む、または、前記少なくとも１つの無線ベアラを選択的にアクティベートすることは、送信される必要があるデータを有するそれらの無線ベアラをアクティベートすることをさらに備える、請求項１に記載の方法。
【請求項３】
前記ＣＤＲＸパラメータ、無線ベアラリリースタイマ、並びに無線ベアラおよびＲＲＣ接続リリースタイマは、異なる無線ベアラで異なる、請求項２に記載の方法。
【請求項４】
前記少なくとも１つの無線ベアラに関連付けられたデータが送信される必要があると決定することは、前記ネットワークから受信したシグナリングに基づく、請求項１に記載の方法。
【請求項５】
前記少なくとも１つの無線ベアラを選択的にアクティベートすることは、前記少なくとも１つの無線ベアラがアクティベートされることを可能にするコンファメーションを前記ネットワークから受信することをさらに備える、請求項１に記載の方法。
【請求項６】
前記シグナリングは、前記少なくとも１つの無線ベアラのためのスケジューリング要求を備える、請求項１に記載の方法。
【請求項７】
前記シグナリングは、物理ダウンリンク制御チャネル（ＰＤＣＣＨ）上で受信される、請求項１に記載の方法。
【請求項８】
前記シグナリングは、前記少なくとも１つの無線ベアラをアクティベートするための特定のインジケーション、または前記少なくとも１つの無線ベアラのためのスケジューリング許可のうちの１つを備える、請求項１に記載の方法。
【請求項９】
前記少なくとも１つの無線ベアラを前記選択的にアクティベートすることは、
前記少なくとも１つの無線ベアラに関連付けられたステータスレポートを送信すること、ここにおいて、前記ステータスレポートは、パケットデータコンバージェンスプロトコル（ＰＤＣＰ）メッセージ、または無線リンク接続（ＲＬＣ）アクティベートベアラメッセージのうちの１つを備える、と、
前記少なくとも１つの無線ベアラをアクティベートすることを前記ＵＥに指示する前記シグナリングの応答を前記ネットワークに送信すること
を備える、請求項１に記載の方法。
【請求項１０】
前記ステータスレポートは、少なくとも１つの無線ベアラ上で送信される、請求項９に記載の方法。
【請求項１１】
前記少なくとも１つの無線ベアラのためのサービス品質（ＱｏＳ）またはサービスグレード（ＧｏＳ）割り当てのうちの少なくとも１つを受信することをさらに備え、前記ＱｏＳまたはＧｏＳ割り当ては、前記少なくとも１つのアクティベートされた無線ベアラ上のダウンリンクトラフィックおよびアップリンクトラフィックに関する保証されたビットレート、前記少なくとも１つのアクティベートされた無線ベアラ上のダウンリンクトラフィックおよびアップリンクトラフィックに関する遅延、または前記少なくとも１つのアクティベートされた無線ベアラに関するダウンリンクおよびアップリンク上のピークエラーレート（ＰＥＲ）のうちの少なくとも１つのインジケーションを備える、請求項１に記載の方法。
【請求項１２】
ネットワークにおける基地局（ＢＳ）による通信の方法であって、
前記ネットワークとの通信のためにユーザ機器（ＵＥ）において１つまたは複数の無線ベアラを構成することと、
前記１つまたは複数の無線ベアラのうちの少なくとも１つの無線ベアラに関連付けられたデータが送信される必要があると決定することと、
前記少なくとも１つの無線ベアラをアクティベートする要求を示すシグナリングをメディアアクセス制御エレメント（ＭＡＣ  ＣＥ）内で前記ＵＥから受信することによって、前記少なくとも１つの無線ベアラに関連付けられた前記データが送信される必要があるとの前記決定に基づいて、前記少なくとも１つの無線ベアラを選択的にアクティベートすることと、
前記少なくとも１つのアクティベートされた無線ベアラ上で前記データを送信することまたは受信することのうちの少なくとも１つと、
一旦デアクティベートされた、前記少なくとも１つのアクティベートされた無線ベアラに関するコンテキストをリリースすることなく、複数のパラメータに基づいて、前記少なくとも１つの選択的にアクティベートされた無線ベアラをデアクティベートすること
を備える、方法。
【請求項１３】
ネットワークにおける通信のための装置であって、
前記ネットワークと通信するために１つまたは複数の無線ベアラを構成するための手段と、
前記１つまたは複数の無線ベアラのうちの少なくとも１つの無線ベアラに関連付けられたデータが送信される必要があると決定するための手段と、
前記少なくとも１つの無線ベアラをアクティベートする要求を示すシグナリングをメディアアクセス制御エレメント（ＭＡＣ  ＣＥ）内で前記ネットワークに送信することによって、前記少なくとも１つの無線ベアラに関連付けられた前記データが送信される必要があるとの前記決定に基づいて、前記少なくとも１つの無線ベアラを選択的にアクティベートするための手段と、
前記少なくとも１つのアクティベートされた無線ベアラ上で前記データを送信するための手段と、
一旦デアクティベートされた、前記少なくとも１つのアクティベートされた無線ベアラに関するコンテキストをリリースすることなく、複数のパラメータに基づいて、前記少なくとも１つの選択的にアクティベートされた無線ベアラをデアクティベートするための手段と、
ここにおいて、前記装置がユーザ機器（ＵＥ）である、
を備える、装置。
【請求項１４】
ネットワークにおける通信のための装置であって、
前記ネットワークとの通信のためにユーザ機器（ＵＥ）において１つまたは複数の無線ベアラを構成するための手段と、
前記１つまたは複数の無線ベアラのうちの少なくとも１つの無線ベアラに関連付けられたデータが送信される必要があると決定するための手段と、
前記少なくとも１つの無線ベアラをアクティベートする要求を示すシグナリングをメディアアクセス制御エレメント（ＭＡＣ  ＣＥ）内で前記ＵＥから受信することによって、前記少なくとも１つの無線ベアラに関連付けられた前記データが送信される必要があるとの前記決定に基づいて、前記少なくとも１つの無線ベアラを選択的にアクティベートするための手段と、
前記少なくとも１つのアクティベートされた無線ベアラ上で前記データを送信するまたは受信するのうちの少なくとも１つのための手段と、
一旦デアクティベートされた、前記少なくとも１つのアクティベートされた無線ベアラに関するコンテキストをリリースすることなく、複数のパラメータに基づいて、前記少なくとも１つの選択的にアクティベートされた無線ベアラをデアクティベートするための手段と、
ここにおいて、前記装置が基地局（ＢＳ）である、
を備える、装置。  
【手続補正２】
【補正対象書類名】明細書
【補正対象項目名】０１１５
【補正方法】変更
【補正の内容】
【０１１５】
[0126]  請求項は、上記に例示されたとおりの構成および構成要素に限定されないことが理解されるべきである。本願の特許請求の範囲から逸脱することなく、様々な変更、交換、および変形が、上述された方法および装置の配置、動作、および細部に対して行われ得る。
以下に本願の出願当初の特許請求の範囲に記載された発明を付記する。
［Ｃ１］
ネットワークにおける通信の方法であって、
前記ネットワークと通信するために１つまたは複数の無線ベアラを構成することと、  前記１つまたは複数の無線ベアラのうちの少なくとも１つの無線ベアラに関連付けられたデータが送信される必要があると決定することと、
前記少なくとも１つの無線ベアラに関連付けられた前記データが送信される必要があるとの前記決定に基づいて、前記少なくとも１つの無線ベアラを選択的にアクティベートすることと、
前記少なくとも１つのアクティベートされた無線ベアラ上で前記データを送信することと
を備える、方法。
［Ｃ２］
前記少なくとも１つの無線ベアラを選択的にアクティベートすることは、送信される必要があるデータを有するそれらの無線ベアラのみをアクティベートすることを備える、Ｃ１に記載の方法。
［Ｃ３］
複数のパラメータに基づいて、前記少なくとも１つのアクティベートされた無線ベアラをデアクティベートすることをさらに備える、Ｃ１に記載の方法。
［Ｃ４］
前記複数のパラメータは、少なくとも、接続モードＤＲＸ（ＣＤＲＸ）パラメータ、無線ベアラリリースタイマ、および無線リソース制御（ＲＲＣ）接続リリースタイマを含む、Ｃ３に記載の方法。
［Ｃ５］
前記ＣＤＲＸパラメータ、無線ベアラリリースタイマ、並びに無線ベアラおよびＲＲＣ接続リリースタイマは、異なる無線ベアラで異なる、Ｃ４に記載の方法。
［Ｃ６］
前記少なくとも１つのアクティベートされた無線ベアラをデアクティベートすることは、一旦デアクティベートされた、前記少なくとも１つのアクティベートされた無線ベアラに関するコンテキストをリリースすることなく行われる、Ｃ３に記載の方法。
［Ｃ７］
前記少なくとも１つの無線ベアラに関連付けられたデータが送信される必要があると決定することは、前記ネットワークから受信したシグナリングに基づく、Ｃ１に記載の方法。
［Ｃ８］
前記少なくとも１つの無線ベアラを選択的にアクティベートすることは、前記少なくとも１つの無線ベアラをアクティベートする前記必要性を示すシグナリングを前記ネットワークに送信することを備える、Ｃ１に記載の方法。
［Ｃ９］
前記少なくとも１つの無線ベアラを選択的にアクティベートすることは、前記少なくとも１つの無線ベアラがアクティベートされることを可能にするコンファメーションを前記ネットワークから受信することをさらに備える、Ｃ８に記載の方法。
［Ｃ１０］
前記シグナリングは、メディアアクセス制御（ＭＡＣ）エレメントを備える、Ｃ８に記載の方法。
［Ｃ１１］
前記シグナリングは、前記少なくとも１つの無線ベアラのためのスケジューリング要求を備える、Ｃ８に記載の方法。
［Ｃ１２］
前記少なくとも１つの無線ベアラを前記選択的にアクティベートすることは、
前記少なくとも１つの無線ベアラをアクティベートすることを前記ＵＥに指示するシグナリングを前記ネットワークから受信することと、
前記受信されたシグナリングにさらに基づいて、前記少なくとも１つの無線ベアラを選択的にアクティベートすることと
を備える、Ｃ１に記載の方法。
［Ｃ１３］
前記シグナリングは、物理ダウンリンク制御チャネル（ＰＤＣＣＨ）上で受信される、Ｃ１２に記載の方法。
［Ｃ１４］
前記シグナリングは、前記少なくとも１つの無線ベアラをアクティベートするための特定のインジケーション、または前記少なくとも１つの無線ベアラのためのスケジューリング許可のうちの１つを備える、Ｃ１２に記載の方法。
［Ｃ１５］
前記少なくとも１つの無線ベアラを前記選択的にアクティベートすることは、
前記少なくとも１つの無線ベアラに関連付けられたステータスレポートを送信することを備え、前記ステータスレポートは、パケットデータコンバージェンスプロトコル（ＰＤＣＰ）メッセージ、または無線リンク接続（ＲＬＣ）アクティベートベアラメッセージのうちの１つを備える、
Ｃ１に記載の方法。
［Ｃ１６］
前記ステータスレポートは、少なくとも１つの無線ベアラ上で送信される、Ｃ１５に記載の方法。
［Ｃ１７］
前記少なくとも１つの無線ベアラのためのサービス品質（ＱｏＳ）またはサービスグレード（ＧｏＳ）割り当てのうちの少なくとも１つを受信することをさらに備え、前記ＱｏＳまたはＧｏＳ割り当ては、前記少なくとも１つのアクティベートされた無線ベアラ上のダウンリンクトラフィックおよびアップリンクトラフィックに関する保証されたビットレート、前記少なくとも１つのアクティベートされた無線ベアラ上のダウンリンクトラフィックおよびアップリンクトラフィックに関する遅延、または前記少なくとも１つのアクティベートされた無線ベアラに関するダウンリンクおよびアップリンク上のピークエラーレート（ＰＥＲ）のうちの少なくとも１つのインジケーションを備える、Ｃ１に記載の方法。
［Ｃ１８］
ネットワークにおける通信の方法であって、
前記ネットワークとの通信のためにユーザ機器（ＵＥ）において１つまたは複数の無線ベアラを構成することと、
前記１つまたは複数の無線ベアラのうちの少なくとも１つの無線ベアラに関連付けられたデータが送信される必要があると決定することと、
前記少なくとも１つの無線ベアラに関連付けられた前記データが送信される必要があるとの前記決定に基づいて、前記少なくとも１つの無線ベアラを選択的にアクティベートすることと、
前記少なくとも１つのアクティベートされた無線ベアラ上で前記データを送信することまたは受信することのうちの少なくとも１つと
を備える、方法。
［Ｃ１９］
前記少なくとも１つの無線ベアラを選択的にアクティベートすることは、送信される必要があるデータを有するそれらの無線ベアラのみをアクティベートすることを備える、Ｃ１８に記載の方法。
［Ｃ２０］
無線ベアラを選択的にデアクティベートするための複数のパラメータを決定することをさらに備える、Ｃ１８に記載の方法。
［Ｃ２１］
前記複数のパラメータは、少なくとも、接続モードＤＲＸ（ＣＤＲＸ）パラメータ、無線ベアラリリースタイマ、および無線リソース制御（ＲＲＣ）接続リリースタイマを含む、Ｃ２０に記載の方法。
［Ｃ２２］
前記ＣＤＲＸパラメータ、無線ベアラリリースタイマ、およびＲＲＣ接続リリースタイマは、異なる無線ベアラで異なる、Ｃ２１に記載の方法。
［Ｃ２３］
前記複数のパラメータを示す情報を前記ＵＥに送信することをさらに備える、Ｃ２０に記載の方法。
［Ｃ２４］
前記少なくとも１つの無線ベアラに関連付けられたデータが送信される必要があると決定することは、前記ＵＥから受信したシグナリングに基づく、Ｃ１８に記載の方法。
［Ｃ２５］
前記少なくとも１つの無線ベアラを選択的にアクティベートすることは、
前記少なくとも１つの無線ベアラをアクティベートする前記必要性を示すシグナリングを前記ＵＥから受信することと
を備える、Ｃ１８に記載の方法。
［Ｃ２６］
前記少なくとも１つの無線ベアラを選択的にアクティベートすることは、前記少なくとも１つの無線ベアラがアクティベートされることを可能にするコンファメーションを前記ＵＥに送信することをさらに備える、Ｃ２５に記載の方法。
［Ｃ２７］
前記シグナリングは、メディアアクセス制御（ＭＡＣ）エレメントを備える、Ｃ２５に記載の方法。
［Ｃ２８］
前記シグナリングは、前記少なくとも１つの無線ベアラのためのスケジューリング要求を備える、Ｃ２５に記載の方法。
［Ｃ２９］
前記少なくとも１つの無線ベアラを前記選択的にアクティベートすることは、
前記少なくとも１つの無線ベアラをアクティベートするためのシグナリングを前記ＵＥに送信することと、
前記送信されたシグナリングにさらに基づいて、前記少なくとも１つの無線ベアラを選択的にアクティベートすることと
を備える、Ｃ１８に記載の方法。
［Ｃ３０］
前記シグナリングは、物理ダウンリンク制御チャネル（ＰＤＣＣＨ）上で送信される、Ｃ２９に記載の方法。
［Ｃ３１］
前記シグナリングは、前記少なくとも１つの無線ベアラをアクティベートするための特定のインジケーション、または前記少なくとも１つの無線ベアラのためのスケジューリング許可のうちの１つを備える、Ｃ２９に記載の方法。
［Ｃ３２］
前記少なくとも１つの無線ベアラを前記選択的にアクティベートすることは、
前記少なくとも１つの無線ベアラに関連付けられたステータスレポートを受信することを備え、前記ステータスレポートは、パケットデータコンバージェンスプロトコル（ＰＤＣＰ）メッセージ、または無線リンク接続（ＲＬＣ）アクティベートベアラメッセージのうちの１つを備える、
Ｃ１８に記載の方法。
［Ｃ３３］
前記ステータスレポートは、少なくとも１つの無線ベアラ上で受信される、Ｃ３２に記載の方法。
［Ｃ３４］
前記少なくとも１つの無線ベアラに関連付けられたデータが送信される必要があると決定することは、前記少なくとも１つの無線ベアラに関連付けられた前記データをいつ受信するかを前記ＵＥに通知する情報を前記ＵＥに送信することを備え、
前記少なくとも１つの無線ベアラを選択的にアクティベートすることは、前記少なくとも１つの無線ベアラをアクティベートすることを前記ＵＥに指示するシグナリングを前記ＵＥに送信することを備える、
Ｃ１８に記載の方法。
［Ｃ３５］
前記シグナリングは、メディアアクセス制御（ＭＡＣ）エレメントを備える、Ｃ３４に記載の方法。
［Ｃ３６］
前記少なくとも１つのアクティベートされた無線ベアラのためのサービス品質（ＱｏＳ）またはサービスグレード（ＧｏＳ）割り当てのうちの少なくとも１つを決定することをさらに備え、前記ＱｏＳおよびＧｏＳ割り当ては、前記少なくとも１つのアクティベートされた無線ベアラ上のダウンリンクトラフィックおよびアップリンクトラフィックに関する保証されたビットレート、前記少なくとも１つのアクティベートされた無線ベアラ上のダウンリンクトラフィックおよびアップリンクトラフィックに関する遅延、または少なくとも１つのアクティベートされた無線ベアラに関するダウンリンクおよびアップリンク上のピークエラーレート（ＰＥＲ）のうちの少なくとも１つのインジケーションを備える、Ｃ１８に記載の方法。
［Ｃ３７］
前記ＱｏＳまたはＧｏＳ割り当てを前記ＵＥに送信することをさらに備える、Ｃ３６に記載の方法。
［Ｃ３８］
ネットワークにおける通信のための装置であって、
前記ネットワークと通信するために１つまたは複数の無線ベアラを構成することと、    前記１つまたは複数の無線ベアラのうちの少なくとも１つの無線ベアラに関連付けられたデータが送信される必要があると決定することと、
前記少なくとも１つの無線ベアラに関連付けられた前記データが送信される必要があるとの前記決定に基づいて、前記少なくとも１つの無線ベアラを選択的にアクティベートすることと、
前記少なくとも１つのアクティベートされた無線ベアラ上で前記データを送信することと
を行うように構成された少なくとも１つのプロセッサと、
前記少なくとも１つのプロセッサに結合されたメモリと
を備える、装置。
［Ｃ３９］
ネットワークにおける通信のための装置であって、
前記ネットワークとの通信のためにユーザ機器（ＵＥ）において１つまたは複数の無線ベアラを構成することと、
前記１つまたは複数の無線ベアラのうちの少なくとも１つの無線ベアラに関連付けられたデータが送信される必要があると決定することと、
前記少なくとも１つの無線ベアラに関連付けられた前記データが送信される必要があるとの前記決定に基づいて、前記少なくとも１つの無線ベアラを選択的にアクティベートすることと、
前記少なくとも１つのアクティベートされた無線ベアラ上で前記データを送信することまたは受信することのうちの少なくとも１つと
を行うように構成された少なくとも１つのプロセッサと、
前記少なくとも１つのプロセッサに結合されたメモリと
を備える、装置。